(57)【要約】【課題】複数の装置の間で同一の画像を表示して共有する画像表示システムにおいて、１の情報端末が画像共有を終了した場合に、同一の画像を表示している他の総ての情報端末の画像共有を終了させることができる画像表示システム、情報処理装置、方法およびプログラムを提供すること。【解決手段】本発明の画像表示システムは、同一の画像を表示して共有する情報処理装置および複数の情報端末を備える。情報端末は、ユーザによる画像共有の終了指示に応じて、画像共有の終了通知を前記情報処理装置に送信し、情報処理装置は、情報端末が送信した画像共有の終了通知を検出した場合に、情報処理装置と通信中の他の情報端末に画像共有の終了要求を送信する。【選択図】図１
2016045547.tif 000002
【特許請求の範囲】
【請求項１】
同一の画像を表示して共有する情報処理装置および複数の情報端末を備える画像表示システムであって、
前記情報端末は、
ユーザによる画像共有の終了指示に応じて、画像共有の終了通知を前記情報処理装置に送信する通知手段を備え、
前記情報処理装置は、
前記情報端末が送信した画像共有の終了通知を検出する検出手段と、
前記画像共有の終了通知を検出した場合に、前記情報処理装置と通信中の他の情報端末に画像共有の終了要求を送信する終了指示手段と
を備える、画像表示システム。
【請求項２】
前記情報端末は、
ユーザによる画像共有の終了指示または前記情報処理装置が送信した画像共有の終了要求に応じて、前記画像の表示を終了する終了処理手段を備える、請求項１に記載の画像表示システム。
【請求項３】
前記情報処理装置は、
前記情報処理装置との通信が確立された情報端末を示す端末情報を生成する端末情報生成手段をさらに備え、
前記終了指示手段は、前記画像共有の終了通知を送信した情報端末以外の情報端末であって前記端末情報が示す情報端末に終了要求を送信することを特徴とする、請求項１または２に記載の画像表示システム。
【請求項４】
共有対象の画像を表示すると共に、前記画像を情報端末に提供可能な情報処理装置であって、
第１の情報端末が送信した画像共有の終了通知を検出する検出手段と、
前記画像共有の終了通知を検出した場合に、前記情報処理装置と通信中の第２の情報端末に画像共有の終了要求を送信する終了指示手段と
を備える、情報処理装置。
【請求項５】
前記情報処理装置は、
前記情報処理装置との通信が確立された情報端末を示す端末情報を生成する端末情報生成手段をさらに備え、
前記終了指示手段は、前記画像共有の終了通知を送信した情報端末以外の情報端末であって前記端末情報が示す情報端末に終了要求を送信することを特徴とする、請求項４に記載の情報処理装置。
【請求項６】
共有対象の画像を表示すると共に、前記画像を情報端末に提供可能な情報処理装置が実行する方法であって、
第１の情報端末が送信した画像共有の終了通知を検出するステップと、
前記画像共有の終了通知を検出した場合に、第２の情報端末に画像共有の終了要求を送信するステップと
を含む、方法。
【請求項７】
前記方法は、前記情報処理装置が、
前記情報処理装置との通信が確立された情報端末を示す端末情報を生成するステップをさらに含み、
前記画像共有の終了を指示するステップは、前記画像共有の終了通知を送信した情報端末以外の情報端末であって前記端末情報が示す情報端末に画像共有の終了要求を送信するステップを含む、請求項６に記載の方法。
【請求項８】
請求項６または７に記載の方法を情報処理装置に実行させるためのプログラム。
【発明の詳細な説明】
【技術分野】
【０００１】
本発明は、複数の装置で同一の画像を表示して共有する画像表示システムに関し、より詳細には、同一の画像を表示して共有している総ての情報端末の画像共有を連動して終了させる画像表示システム、情報処理装置、方法およびプログラムに関する。
【背景技術】
【０００２】
従来、企業や教育機関、行政機関等で開かれる会議などにおいて、画像供給元の情報端末が提供する画像を表示し、当該画像に描画画像を重畳して表示可能な電子黒板が利用されている。このような電子黒板を利用したシステムには、電子黒板が、画像供給元の情報端末の提供する画像を、ネットワークを介して他の情報端末に送信し、複数の拠点で同一の画像を表示して共有する画像表示システムがある。
【０００３】
一方、クライアントサーバシステムにおいてセッションを終了させる種々の技術が提案されている。このような技術の一例として、特許文献１が開示するセッションの終了方法は、サーバであるＵＴシステムが、通信セッションに対する動作変数（サービス品質のレベルやパフォーマンス・レベル、回線容量可用率、リアルタイム通信セッションの参加者の員数、リアルタイム通信セッションの合計数、特定の種類のリアルタイム通信セッションの合計数、サーバ負荷等）の限度を定義した終了条件を照合し、動作変数の値が終了条件に合致した場合に、特定のクライアント・デバイスの通信セッションを終了させる。
【発明の概要】
【発明が解決しようとする課題】
【０００４】
しかしながら、特許文献１が開示するセッションの終了方法では、ＵＴシステムが、動作変数の限度を定義した終了条件を照合し、動作変数の値が終了条件に合致した場合、すなわち、動作変数の値が限界値に達した場合に、特定のクライアント・デバイスの通信セッションを終了させるため、情報端末のユーザが画像共有を終了させたか否か検知することができず、１の情報端末の画像共有の終了に連動して他の情報端末の画像共有を終了させることができないという問題があった。
【０００５】
本発明は上述した課題を解決するものであり、複数の装置の間で同一の画像を表示して共有する画像表示システムにおいて、１の情報端末が画像共有を終了した場合に、同一の画像を表示している他の総ての情報端末の画像共有を終了させることができる画像表示システム、情報処理装置、方法およびプログラムを提供することを目的とする。
【課題を解決するための手段】
【０００６】
本発明の画像表示システムは、同一の画像を表示して共有する情報処理装置および複数の情報端末を備える。情報端末は、ユーザによる画像共有の終了指示に応じて、画像共有の終了通知を前記情報処理装置に送信し、情報処理装置は、情報端末が送信した画像共有の終了通知を検出した場合に、情報処理装置と通信中の他の情報端末に画像共有の終了要求を送信する。
【発明の効果】
【０００７】
本発明の画像表示システムは、１の情報端末が画像の共有を終了した場合に、他の情報端末の画像の共有を終了させることができる。
【図面の簡単な説明】
【０００８】
【図１】本発明の画像表示システムの一実施形態を示す図。
【図２】電子黒板１１０のハードウェア構成を示す図。
【図３】情報端末１２０ａのハードウェア構成を示す図。
【図４】電子黒板１１０および情報端末１２０ａの機能構成を示す図。
【図５】画像表示システム１００が実行する処理を示すシーケンス図。
【図６】電子黒板１１０が実行する処理の一実施形態を示すフローチャート。
【図７】端末リストの一実施形態を示す図。
【発明を実施するための形態】
【０００９】
図１は、本発明の画像表示システムの一実施形態を示す図である。画像表示システム１００は、電子黒板１１０と、情報端末１２０ａ，１２０ｂとを含み、これらの装置がネットワーク１３０を介して接続されている。ネットワーク１３０は、インターネットや無線ＬＡＮ、有線ＬＡＮ等の種々のネットワークで構成することができる。図１に示す実施形態では、２つの情報端末１２０ａ，１２０ｂのみが示されているが、ネットワーク１３０には、任意の数の情報端末を接続することができる。
【００１０】
電子黒板１１０は、種々の画像を表示可能な情報処理装置である。電子黒板１１０は、ネットワーク１３０を介して情報端末１２０ａ，１２０ｂとデータ通信を行う。電子黒板１１０は、画像供給元の情報端末から共有対象の画像を受信すると、当該画像を表示すると共に、別の情報端末に当該画像を提供する。
【００１１】
情報端末１２０ａ，１２０ｂは、ネットワーク１３０を介して電子黒板１１０および他の情報端末とデータ通信する情報端末である。情報端末１２０ａ，１２０ｂは、画像供給元として機能する場合、ユーザが情報端末の表示装置に描画した描画画像や当該表示装置に表示されている画像等の種々の画像を電子黒板１１０に提供する。また、情報端末１２０ａ，１２０ｂは、画像供給先として機能する場合、電子黒板１１０が提供する画像を情報端末の表示装置に表示する。
【００１２】
図１には、情報端末１２０ａ，１２０ｂとしてノートパソコンおよびタブレット型ＰＣが示されているが、スマートフォンやＰＤＡ等の種々の情報端末を採用することができる。
【００１３】
図２は、電子黒板１１０のハードウェア構成を示す図である。電子黒板１１０は、ＣＰＵ２００と、記憶部２０１と、操作部２０２と、外部装置インタフェース２０３と、ネットワーク制御部２０４と、表示部２０５とを備えている。
【００１４】
ＣＰＵ２００は、本発明のプログラムを実行する演算処理装置である。記憶部２０１は、本発明のプログラム等のデータが保存される記憶装置であり、ＲＯＭやＲＡＭ、ハードディスク装置（ＨＤＤ）等の記憶装置によって構成される。ＣＰＵ２００は、種々のＯＳの管理下で本発明のプログラムをＨＤＤから読み出し、ＲＡＭに展開して実行することにより、後述する機能を電子黒板１１０上で実現する。
【００１５】
操作部２０２は、ユーザの指示を受け付ける手段である。本実施形態では、例えば、タッチパネル等を操作部２０２として採用することができる。外部装置インタフェース２０３は、種々の外部装置を接続可能なインタフェースである。ネットワーク制御部２０４は、ネットワーク１３０を介した通信を制御する手段である。表示部２０５は、種々の画像を表示する表示装置であり、液晶ディスプレイや有機ＥＬディスプレイ等の表示装置で構成することができる。
【００１６】
図３は、情報端末１２０ａのハードウェア構成を示す図である。情報端末１２０ａは、ＣＰＵ３００と、記憶部３０１と、操作部３０２と、外部装置インタフェース３０３と、ネットワーク制御部３０４と、表示部３０５とを備えている。
【００１７】
ＣＰＵ３００は、本発明のプログラムを実行する演算処理装置である。記憶部２０１は、本発明のプログラム等のデータが保存される記憶装置であり、ＲＯＭやＲＡＭ、ＨＤＤ等の記憶装置によって構成される。ＣＰＵ３００は、種々のＯＳの管理下で本発明のプログラムをＨＤＤから読み出し、ＲＡＭに展開して実行することにより、後述する機能を情報端末１２０ａ上で実現する。
【００１８】
操作部３０２は、ユーザの指示を受け付ける手段である。本実施形態では、例えば、キーボードやタッチパネル等を操作部３０２として採用することができる。外部装置インタフェース３０３は、マウスやキーボード等の種々の外部装置を接続可能なインタフェースである。ネットワーク制御部３０４は、ネットワーク１３０を介した通信を制御する手段である。表示部３０５は、種々の画像を表示する表示装置であり、液晶ディスプレイや有機ＥＬディスプレイ等の表示装置で構成することができる。
【００１９】
図４は、電子黒板１１０および情報端末１２０ａの機能構成を示す図である。以下、図４を参照して、電子黒板１１０および情報端末１２０ａの機能構成について説明する。なお、情報端末１２０ｂの機能構成は、情報端末１２０ａと同様であるため、説明を省略する。
【００２０】
電子黒板１１０は、表示制御部４００と、画像共有アプリ４０１とを有する。表示制御部４００は、表示部２０５を制御する手段である。表示制御部４００は、電子黒板１１０との接続に必要な接続情報（パスワード等）や画像供給元の情報端末が提供する共有対象の画像、電子黒板１１０の描画画像等の種々の画像を表示部２０５に表示する。
【００２１】
画像共有アプリ４０１は、電子黒板１１０および情報端末１２０ａ，１２０ｂの間で同一の画像を表示して共有可能なアプリケーションプログラムであり、通信接続部４０２と、端末リスト生成部４０３と、終了通知検出部４０４と、終了指示部４０５とを有する。
【００２２】
通信接続部４０２は、情報端末１２０ａ，１２０ｂとの通信接続を確立する手段である。端末リスト生成部４０３は、電子黒板１１０との通信が確立された情報端末を示す端末情報である端末リストを生成する手段である。本実施形態の端末リストには、図７に示すように、電子黒板１１０と通信が確立された情報端末の識別情報である番号と、当該情報端末のＩＰアドレスとが登録される。
【００２３】
終了通知検出部４０４は、情報端末から画像共有アプリの終了通知を検出する手段である。終了指示部４０５は、電子黒板１１０と通信中の情報端末に対し、画像共有アプリの終了を指示する手段である。終了指示部４０５は、情報端末から画像共有アプリの終了通知を受信すると、記憶部２０１に保存されている端末リストを参照して、電子黒板１１０と通信中の情報端末を特定し、当該情報端末に対して画像共有アプリの終了を指示する。
【００２４】
情報端末１２０ａは、表示制御部４１０と、画像共有アプリ４１１とを有する。表示制御部４１０は、表示部３０５を制御して種々の画像を表示する手段である。表示制御部４１０は、情報端末１２０ａにインストールされているアプリケーションが提供する画像や電子黒板１１０の描画画像等の種々の画像を表示部３０５に表示する。
【００２５】
画像共有アプリ４１１は、通信接続部４１２と、終了処理部４１３とを有する。通信接続部４１２は、電子黒板１１０との通信接続を確立する手段である。通信接続部４１２は、ネットワーク１３０に応答要求をブロードキャストし、当該応答要求に応答した電子黒板１１０に接続情報および接続要求を送信して、電子黒板１１０との通信接続を確立する。
【００２６】
終了処理部４１３は、画像共有アプリの終了処理を制御する手段である。終了処理部４１３は、ユーザから画像共有アプリの終了を指示されると、画像共有アプリの終了通知を電子黒板１１０に送信し、情報端末１２０ａの画像共有アプリを終了する。また、終了処理部４１３は、電子黒板１１０から画像共有アプリの終了を指示されると、情報端末１２０ａの画像共有アプリを終了する。
【００２７】
図５は、画像表示システム１００が実行する処理を示すシーケンス図である。以下、図５を参照して、情報端末１２０ａが画像共有アプリを終了した場合に実行される処理について説明する。
【００２８】
情報端末１２０ａのユーザが、情報端末１２０ａに画像共有アプリの終了、すなわち、画像共有の終了を指示すると、情報端末１２０ａの終了処理部４１３が、電子黒板１１０に画像共有アプリの終了を通知し、情報端末１２０ａの画像共有アプリを終了する。
【００２９】
電子黒板１１０は、情報端末１２０ａから画像共有アプリの終了通知を受信すると、電子黒板１１０の終了指示部４０５が、記憶部２０１に保存されている端末リストを参照し、電子黒板１１０と通信中の他の情報端末のＩＰアドレスを取得する。そして、終了指示部４０５は、当該ＩＰアドレスが示す他の情報端末に対し、画像共有アプリの終了を指示する。
【００３０】
情報端末１２０ｂは、電子黒板１１０から画像共有アプリの終了を指示されると、情報端末１２０ｂの終了処理部４１３が、情報端末１２０ｂの画像共有アプリを終了する。
【００３１】
図６は、電子黒板１１０が実行する処理の一実施形態を示すフローチャートである。以下、図６を参照して、電子黒板１１０が、複数の情報端末との通信を確立した後に実行する処理について説明する。
【００３２】
図６の処理は、ステップＳ６００から開始し、ステップＳ６０１で電子黒板１１０の終了通知検出部４０４が、電子黒板１１０と通信中の情報端末から画像共有アプリの終了通知を受信したか否か判断する。画像共有アプリの終了通知を受信していない場合は（ｎｏ）、ステップＳ６０１の処理が反復して実行される。一方、電子黒板１１０と通信中の情報端末から画像共有アプリの終了通知を受信した場合は（ｙｅｓ）、ステップＳ６０２に処理が分岐する。
【００３３】
ステップＳ６０２では、終了指示部４０５が、記憶部３０１に保存されている端末リストを参照し、画像共有アプリの終了通知を送信した情報端末以外の情報端末であって電子黒板１１０と通信中の他の情報端末のＩＰアドレスを取得する。ステップＳ６０３では、終了指示部４０５は、当該他の情報端末に対し、画像共有アプリの終了要求を送信し、ステップＳ６０４で処理が終了する。
【００３４】
これまで本発明の実施形態について説明してきたが、本発明は、上述した実施形態に限定されるものではなく、上述した実施形態の構成要素を変更若しくは削除し、または上述した実施形態の構成要素に他の構成要素を追加するなど、当業者が想到することができる範囲内で変更することができる。いずれの態様においても本発明の作用効果を奏する限り、本発明の範囲に含まれるものである。
【符号の説明】
【００３５】
１００…画像表示システム、１１０…電子黒板、１２０ａ，１２０ｂ…情報端末、１３０…ネットワーク
【先行技術文献】
【特許文献】
【００３６】
【特許文献１】特開２０１２−１１３７１２号公報
【図１】
2016045547.tif 000003
【図２】
2016045547.tif 000004
【図３】
2016045547.tif 000005
【図４】
2016045547.tif 000006
【図５】
2016045547.tif 000007
【図６】
2016045547.tif 000008
【図７】
2016045547.tif 000009